【手続補正書】
【提出日】平成26年11月21日(2014.11.21)
【手続補正１】
【補正対象書類名】明細書
【補正対象項目名】００１７
【補正方法】変更
【補正の内容】
【００１７】
前記符号化部は、前記画像データを、前記ラインブロック毎にウェーブレット変換するウェーブレット変換部と、前記ウェーブレット変換部によりウェーブレット変換されて得られた係数データをエントロピ符号化するエントロピ符号化部とを備えることができる。
【手続補正２】
【補正対象書類名】明細書
【補正対象項目名】００６８
【補正方法】変更
【補正の内容】
【００６８】
di0＝di1+1/2(si0＋si+10)      ・・・（６）
【手続補正３】
【補正対象書類名】明細書
【補正対象項目名】００７７
【補正方法】変更
【補正の内容】
【００７７】
また、右端から３列目乃至右端列が分割レベル＝１の合成フィルタ処理（垂直フィルタ処理）結果を示す。右端から３列目の四角は、分割レベル＝２の合成フィルタ処理の出力（高域成分出力および低域成分出力）を示す。つまり、ある分割レベルの合成フィルタ処理結果は、次の分割レベルの合成フィルタ処理の低域成分入力として使用される。右端から３列目の丸印は、ウェーブレット逆変換される係数データを示す。この係数データは、分析フィルタ処理の１つ上位の分割レベル（図６の例の場合、分割レベル＝１）の高域成分出力（図６の左端から２列目）に対応する。また、また、右端から２列目は、その合成フィルタ処理の低域成分出力を示し、右端列は、その合成フィルタ処理の高域成分出力を示す。
【手続補正４】
【補正対象書類名】明細書
【補正対象項目名】００８１
【補正方法】変更
【補正の内容】
【００８１】
例えば、右端から６列目の係数データＣ１（５）およびＣ２（４）が、合成フィルタ処理（分割レベル＝２の垂直フィルタ処理）され、右端から５列目の係数データＣｆが生成される。この係数データＣ１（５）は、左端から６列目の係数データＣ５に対応し、係数データＣ２（４）は、左端から５列目の係数データＣ４に対応する。
【手続補正５】
【補正対象書類名】明細書
【補正対象項目名】０２４１
【補正方法】変更
【補正の内容】
【０２４１】
＜２．第２の実施の形態＞
［画像復号装置］
図２７は、画像復号装置の主な構成例を示すブロック図である。図２７に示される画像復号装置４００は、図１の画像符号化装置１００に対応する画像処理装置である。つまり、画像復号装置４００は、画像符号化装置１００により生成され、伝送されたMXFファイルを取得し、そのMXFファイルを正しく解読して、画像符号化装置１００により生成された符号化データ（コードストリーム）を抽出する。画像復号装置４００は、その抽出した符号化データ（コードストリーム）を、ラインブロック毎に、画像符号化装置１００の符号化に対応する方法で正しく復号し、ラインブロック毎の復号画像データを生成し、出力する。
【手続補正６】
【補正対象書類名】明細書
【補正対象項目名】０２５４
【補正方法】変更
【補正の内容】
【０２５４】
ヘッダメタデータ解読部４２１は、パーティション分離部４１１から供給されるボディパーティションの内、ボディパーティションパックとヘッダメタデータよりなるボディパーティションを解読し、そのボディパーティションからヘッダメタデータを抽出する。ヘッダメタデータ解読部４２１は、抽出したヘッダメタデータを、パーティション分離部４１１から供給されるボディパーティションとともに、インデックステーブルセグメント解読部４２２に供給する。
【手続補正７】
【補正対象書類名】明細書
【補正対象項目名】０２５５
【補正方法】変更
【補正の内容】
【０２５５】
インデックステーブルセグメント解読部４２２は、パーティション分離部４１１から供給されるボディパーティションの内、ボディパーティションパックとインデックステーブルセグメントよりなるボディパーティションを解読し、そのボディパーティションからインデックステーブルセグメントを抽出する。インデックステーブルセグメント解読部４２２は、抽出したインデックステーブルセグメントを、ボディパーティションやヘッダメタデータとともに、コードストリームデータ長解読部４２３に供給する。
【手続補正８】
【補正対象書類名】明細書
【補正対象項目名】０２６７
【補正方法】変更
【補正の内容】
【０２６７】
画像復号装置４００は、図２８に示される復号処理を、１ピクチャ分の符号化データが入力される毎に実行する。
【手続補正９】
【補正対象書類名】明細書
【補正対象項目名】０３３５
【補正方法】変更
【補正の内容】
【０３３５】
なお、上述したように、複数ラインブロック分の符号化データ（コードストリーム）が１つのMXFファイルに格納される場合も、Ｎ番目のラインブロックの符号化データについてのみ、ヘッダメタデータを含むボディパーティションを省略することができる。その場合、ボディパーティション解読部４１３は、ステップＳ５２９において実行されるボディパーティション解読処理を、図３２のフローチャートを参照して説明した場合と同様に実行すればよい。
【手続補正１０】
【補正対象書類名】明細書
【補正対象項目名】０３３６
【補正方法】変更
【補正の内容】
【０３３６】
また、上述したように、複数ラインブロック分の符号化データ（コードストリーム）が１つのMXFファイルに格納される場合も、Ｎ番目のラインブロックの符号化データについてのみ、ヘッダメタデータを含むボディパーティションおよびインデックステーブルセグメントを含むボディパーティションを省略することができる。その場合、ボディパーティション解読部４１３は、ステップＳ５２９において実行されるボディパーティション解読処理を、図３３のフローチャートを参照して説明した場合と同様に実行すればよい。
【手続補正１１】
【補正対象書類名】明細書
【補正対象項目名】０３５２
【補正方法】変更
【補正の内容】
【０３５２】
なお、本技術は以下のような構成も取ることができる。
（１）  画像データが、画像を複数に分割するラインブロック毎に符号化された符号化データを格納する、所定のフォーマットのファイルのボディパーティションを、１ラインブロック分の符号化データ毎に生成するボディパーティション生成部と、
前記ボディパーティション生成部により生成された前記ボディパーティション、ヘッダ情報を含むヘッダパーティション、およびフッタ情報を含むフッタパーティションを統合することにより、前記ファイルを生成するパーティション統合部と
を備える画像処理装置。
（２）  前記ボディパーティション生成部は、１つの前記ファイルに１ラインブロック分の前記符号化データを格納させるように、１つの前記ファイルに対して、前記符号化データを含むボディパーティションを１つ生成する
前記（１）に記載の画像処理装置。
（３）  前記ボディパーティション生成部は、前記符号化データを含むボディパーティション、インデックステーブルセグメントを含むボディパーティション、および、ヘッダメタデータを含むボディパーティションを、この順に生成し、この順に並べる
前記（２）に記載の画像処理装置。
（４）  前記フッタパーティションを生成するフッタパーティション生成部をさらに備え、
前記ボディパーティション生成部は、前記符号化データを含むボディパーティションおよび、インデックステーブルセグメントを含むボディパーティションをこの順に生成し、この順に並べ、
前記フッタパーティション生成部は、ヘッダメタデータを含むフッタパーティションを生成する
前記（２）に記載の画像処理装置。
（５）  前記フッタパーティションを生成するフッタパーティション生成部をさらに備え、
前記ボディパーティション生成部は、前記符号化データを含むボディパーティションを生成し、
前記フッタパーティション生成部は、ヘッダメタデータおよびインデックステーブルセグメントを含むフッタパーティションを生成する
前記（２）に記載の画像処理装置。
（６）  前記ボディパーティション生成部は、１つの前記ファイルに複数ラインブロック分の前記符号化データを格納させるように、１つの前記ファイルに対して、前記符号化データを含むボディパーティションを複数生成し、並べる
前記（１）に記載の画像処理装置。
（７）  前記ボディパーティション生成部は、前記符号化データを含むボディパーティション、インデックステーブルセグメントを含むボディパーティション、および、ヘッダメタデータを含むボディパーティションを、前記ラインブロック毎に、この順に生成し、この順に並べる
前記（６）に記載の画像処理装置。
（８）  前記フッタパーティションを生成するフッタパーティション生成部をさらに備え、
前記ボディパーティション生成部は、
最後以外の各ラインブロックについて、前記符号化データを含むボディパーティション、インデックステーブルセグメントを含むボディパーティション、および、ヘッダメタデータを含むボディパーティションを、この順に生成し、この順に並べ、
最後のラインブロックについて、前記符号化データを含むボディパーティション、および、前記インデックステーブルセグメントを含むボディパーティションを、この順に生成し、この順に並べ、
前記フッタパーティション生成部は、前記最後のラインブロックのヘッダメタデータを含むフッタパーティションを生成する
前記（６）に記載の画像処理装置。
（９）  前記フッタパーティションを生成するフッタパーティション生成部をさらに備え、
前記ボディパーティション生成部は、
最後以外の各ラインブロックについて、前記符号化データを含むボディパーティション、インデックステーブルセグメントを含むボディパーティション、および、ヘッダメタデータを含むボディパーティションを、この順に生成し、この順に並べ、
最後のラインブロックについて、前記符号化データを含むボディパーティションを生成し、
前記フッタパーティション生成部は、前記最後のラインブロックのヘッダメタデータおよびインデックステーブルセグメントを含むフッタパーティションを生成する
前記（６）に記載の画像処理装置。
（１０）  前記画像データを、前記ラインブロック毎に符号化する符号化部をさらに備え、
前記ボディパーティション生成部は、前記符号化部により、前記画像データがラインブロック毎に符号化された符号化データを格納する前記ボディパーティションを生成する
前記（１）乃至（９）のいずれかに記載の画像処理装置。
（１１）  前記符号化部は、
前記画像データを、前記ラインブロック毎にウェーブレット変換するウェーブレット変換部と、
前記ウェーブレット変換部によりウェーブレット変換されて得られた係数データをエントロピ符号化するエントロピ符号化部と
を備える前記（１０）に記載の画像処理装置。
（１２）  前記ラインブロックは、前記ウェーブレット変換部が、ウェーブレット変換後の最低域成分のサブバンド１ライン分の係数データを生成するために必要なライン数分の画素データ群である
前記（１１）に記載の画像処理装置。
（１３）  前記所定のフォーマットは、SMPTE規格のMXFである
前記（１）乃至（１２）のいずれかに記載の画像処理装置。
（１４）  画像処理装置の画像処理方法であって、
ボディパーティション生成部が、画像データが、画像を複数に分割するラインブロック毎に符号化された符号化データを格納する、所定のフォーマットのファイルのボディパーティションを、１ラインブロック分の符号化データ毎に生成し、
パーティション統合部が、生成された前記ボディパーティション、ヘッダ情報を含むヘッダパーティション、およびフッタ情報を含むフッタパーティションを統合することにより、前記ファイルを生成する
画像処理方法。
（１５）  画像データが符号化された符号化データをパーティション毎に分離するパーティション分離部と、
前記パーティション分離部により分離された、画像を複数に分割するラインブロック１つ分の前記符号化データが格納された、所定のフォーマットのファイルのボディパーティションを解読し、１ラインブロック分の前記符号化データを抽出するボディパーティション解読部と
を備える画像処理装置。
（１６）  前記ボディパーティション解読部は、さらに、前記パーティション分離部により分離された、インデックステーブルセグメントを含むボディパーティション、および、ヘッダメタデータを含むボディパーティションを解読する
前記（１５）に記載の画像処理装置。
（１７）  前記ボディパーティション解読部により解読された抽出された１ラインブロック分の前記符号化データを復号する復号部をさらに備える
前記（１５）に記載の画像処理装置。
（１８）  前記復号部は、
前記符号化データをエントロピ復号して係数データを生成するエントロピ復号部と、
前記エントロピ復号部により復号されて得られる前記係数データを、ウェーブレット逆変換するウェーブレット逆変換部と
を備える前記（１７）に記載の画像処理装置。
（１９）  前記所定のフォーマットは、SMPTE規格のMXFである
前記（１５）乃至（１８）のいずれかに記載の画像処理装置。
（２０）  画像処理装置の画像処理方法であって、
パーティション分割部が、画像データが符号化された符号化データをパーティション毎に分離し、
ボディパーティション解読部が、分離された、画像を複数に分割するラインブロック１つ分の前記符号化データが格納された、所定のフォーマットのファイルのボディパーティションを解読し、１ラインブロック分の前記符号化データを抽出する
画像処理方法。
【手続補正１２】
【補正対象書類名】特許請求の範囲
【補正対象項目名】全文
【補正方法】変更
【補正の内容】
【特許請求の範囲】
【請求項１】
画像データが、画像を複数に分割するラインブロック毎に符号化された符号化データを格納する、所定のフォーマットのファイルのボディパーティションを、１ラインブロック分の符号化データ毎に生成するボディパーティション生成部と、
前記ボディパーティション生成部により生成された前記ボディパーティション、ヘッダ情報を含むヘッダパーティション、およびフッタ情報を含むフッタパーティションを統合することにより、前記ファイルを生成するパーティション統合部と
を備える画像処理装置。
【請求項２】
前記ボディパーティション生成部は、１つの前記ファイルに１ラインブロック分の前記符号化データを格納させるように、１つの前記ファイルに対して、前記符号化データを含むボディパーティションを１つ生成する
請求項１に記載の画像処理装置。
【請求項３】
前記ボディパーティション生成部は、前記符号化データを含むボディパーティション、インデックステーブルセグメントを含むボディパーティション、および、ヘッダメタデータを含むボディパーティションを、この順に生成し、この順に並べる
請求項２に記載の画像処理装置。
【請求項４】
前記フッタパーティションを生成するフッタパーティション生成部をさらに備え、
前記ボディパーティション生成部は、前記符号化データを含むボディパーティションおよび、インデックステーブルセグメントを含むボディパーティションをこの順に生成し、この順に並べ、
前記フッタパーティション生成部は、ヘッダメタデータを含むフッタパーティションを生成する
請求項２に記載の画像処理装置。
【請求項５】
前記フッタパーティションを生成するフッタパーティション生成部をさらに備え、
前記ボディパーティション生成部は、前記符号化データを含むボディパーティションを生成し、
前記フッタパーティション生成部は、ヘッダメタデータおよびインデックステーブルセグメントを含むフッタパーティションを生成する
請求項２に記載の画像処理装置。
【請求項６】
前記ボディパーティション生成部は、１つの前記ファイルに複数ラインブロック分の前記符号化データを格納させるように、１つの前記ファイルに対して、前記符号化データを含むボディパーティションを複数生成し、並べる
請求項１に記載の画像処理装置。
【請求項７】
前記ボディパーティション生成部は、前記符号化データを含むボディパーティション、インデックステーブルセグメントを含むボディパーティション、および、ヘッダメタデータを含むボディパーティションを、前記ラインブロック毎に、この順に生成し、この順に並べる
請求項６に記載の画像処理装置。
【請求項８】
前記フッタパーティションを生成するフッタパーティション生成部をさらに備え、
前記ボディパーティション生成部は、
最後以外の各ラインブロックについて、前記符号化データを含むボディパーティション、インデックステーブルセグメントを含むボディパーティション、および、ヘッダメタデータを含むボディパーティションを、この順に生成し、この順に並べ、
最後のラインブロックについて、前記符号化データを含むボディパーティション、および、前記インデックステーブルセグメントを含むボディパーティションを、この順に生成し、この順に並べ、
前記フッタパーティション生成部は、前記最後のラインブロックのヘッダメタデータを含むフッタパーティションを生成する
請求項６に記載の画像処理装置。
【請求項９】
前記フッタパーティションを生成するフッタパーティション生成部をさらに備え、
前記ボディパーティション生成部は、
最後以外の各ラインブロックについて、前記符号化データを含むボディパーティション、インデックステーブルセグメントを含むボディパーティション、および、ヘッダメタデータを含むボディパーティションを、この順に生成し、この順に並べ、
最後のラインブロックについて、前記符号化データを含むボディパーティションを生成し、
前記フッタパーティション生成部は、前記最後のラインブロックのヘッダメタデータおよびインデックステーブルセグメントを含むフッタパーティションを生成する
請求項６に記載の画像処理装置。
【請求項１０】
前記画像データを、前記ラインブロック毎に符号化する符号化部をさらに備え、
前記ボディパーティション生成部は、前記符号化部により、前記画像データがラインブロック毎に符号化された符号化データを格納する前記ボディパーティションを生成する
請求項１乃至請求項９のいずれかに記載の画像処理装置。
【請求項１１】
前記符号化部は、
前記画像データを、前記ラインブロック毎にウェーブレット変換するウェーブレット変換部と、
前記ウェーブレット変換部によりウェーブレット変換されて得られた係数データをエントロピ符号化するエントロピ符号化部と
を備える請求項１０に記載の画像処理装置。
【請求項１２】
前記ラインブロックは、前記ウェーブレット変換部が、ウェーブレット変換後の最低域成分のサブバンド１ライン分の係数データを生成するために必要なライン数分の画素データ群である
請求項１１に記載の画像処理装置。
【請求項１３】
前記所定のフォーマットは、SMPTE規格のMXFである
請求項１乃至請求項１２のいずれかに記載の画像処理装置。
【請求項１４】
画像処理装置の画像処理方法であって、
ボディパーティション生成部が、画像データが、画像を複数に分割するラインブロック毎に符号化された符号化データを格納する、所定のフォーマットのファイルのボディパーティションを、１ラインブロック分の符号化データ毎に生成し、
パーティション統合部が、生成された前記ボディパーティション、ヘッダ情報を含むヘッダパーティション、およびフッタ情報を含むフッタパーティションを統合することにより、前記ファイルを生成する
画像処理方法。
【請求項１５】
画像データが符号化された符号化データをパーティション毎に分離するパーティション分離部と、
前記パーティション分離部により分離された、画像を複数に分割するラインブロック１つ分の前記符号化データが格納された、所定のフォーマットのファイルのボディパーティションを解読し、１ラインブロック分の前記符号化データを抽出するボディパーティション解読部と
を備える画像処理装置。
【請求項１６】
前記ボディパーティション解読部は、さらに、前記パーティション分離部により分離された、インデックステーブルセグメントを含むボディパーティション、および、ヘッダメタデータを含むボディパーティションを解読する
請求項１５に記載の画像処理装置。
【請求項１７】
前記ボディパーティション解読部により解読された抽出された１ラインブロック分の前記符号化データを復号する復号部をさらに備える
請求項１５に記載の画像処理装置。
【請求項１８】
前記復号部は、
前記符号化データをエントロピ復号して係数データを生成するエントロピ復号部と、
前記エントロピ復号部により復号されて得られる前記係数データを、ウェーブレット逆変換するウェーブレット逆変換部と
を備える請求項１７に記載の画像処理装置。
【請求項１９】
前記所定のフォーマットは、SMPTE規格のMXFである
請求項１５乃至請求項１８のいずれかに記載の画像処理装置。
【請求項２０】
画像処理装置の画像処理方法であって、
パーティション分割部が、画像データが符号化された符号化データをパーティション毎に分離し、
ボディパーティション解読部が、分離された、画像を複数に分割するラインブロック１つ分の前記符号化データが格納された、所定のフォーマットのファイルのボディパーティションを解読し、１ラインブロック分の前記符号化データを抽出する
画像処理方法。